(57)【要約】【課題】物品の荷役に際してのデットスペース削減、複数物品の荷役効率の向上、荷役作業の負荷低減を図る。【解決手段】荷役コンテナ１０は、コンテナ基台２０に四つの仕切パーツ３０を載置し、この仕切パーツ３０をその上端部で固定具４０により固定する。仕切パーツ３０は、３枚の仕切板３１〜３３を縦に延びた端片で接合して備え、これら仕切板３１〜３３でコの字状の区画壁を形成する。仕切パーツ３０は、コンテナ基台２０の上面において、他の仕切パーツ３０の仕切板３１〜３３に隣接対面させている。二つの仕切パーツ３０は同じ向きに並べ、他の二つをいわゆる背中合わせとなるように並べて、開口領域をコンテナ基台２０の左右方向とする。【選択図】　　　　図１
2004010053.tif 000002
【特許請求の範囲】
【請求項１】
荷役コンテナであって、
荷役対象品が載置されるコンテナ基台と、
該コンテナ基台の上面に載置され、前記コンテナ基台上部の載置空間を縦方向に区画する仕切部材を有する複数の基台上面パーツとを備え、
前記基台上面パーツは、前記仕切部材を縦に延びた端片側で接合して備え、前記コンテナ基台の上面に載置された状態において、少なくとも一つの前記仕切部材を、他の前記基台上面パーツの前記仕切部材に隣接対面させている
ことを特徴とする荷役コンテナ。
【請求項２】
請求項１記載の荷役コンテナであって、
前記基台上面パーツは、三つの前記仕切部材を備え、前記コンテナ基台の上方からの平面視において、前記仕切部材をコの字状に接合して三方に有する、荷役コンテナ。
【請求項３】
請求項２記載の荷役コンテナであって、
前記基台上面パーツは、
他の基台上面パーツの仕切部材に隣接対面する前記仕切部材が前記コンテナ基台の一方端から他方端に亘る態様と、
前記隣接対面する前記仕切部材の幅寸法が前記コンテナ基台の幅寸法より小さくされている態様とを採るものの少なくとも一方とされている、荷役コンテナ。
【請求項４】
請求項３記載の荷役コンテナであって、
前記隣接対面する前記仕切部材の幅寸法が前記コンテナ基台の幅寸法より小さくされている前記基台上面パーツは、前記仕切部材幅寸法が前記コンテナ基台幅の略等分割寸法とされている、荷役コンテナ。
【請求項５】
請求項１ないし請求項４いずれか記載の荷役コンテナであって、
前記コンテナ基台は、前記コンテナ基台上面に載置された前記基台上面パーツの前記仕切部材の底辺端が入り込む凹部を有する、荷役コンテナ。
【請求項６】
請求項５記載の荷役コンテナであって、
前記コンテナ基台は、前記凹部を基台上下面に有する、荷役コンテナ。
【請求項７】
請求項１ないし請求項６いずれか記載の荷役コンテナであって、
前記コンテナ基台の上面に載置され前記仕切部材を隣接対面させた複数の前記基台上面パーツ同士を係合する係合部材を有し、
該係合部材は、前記隣接対面した前記仕切部材の上端片部分で前記基台上面パーツ同士を係合する、荷役コンテナ。
【請求項８】
請求項７記載の荷役コンテナであって、
前記コンテナ基台は、その下面に、前記隣接対面した複数の前記基台上面パーツ同士を係合した前記係合部材が入り込む凹所を有する、荷役コンテナ。
【請求項９】
請求項１ないし請求項８いずれか記載の荷役コンテナであって、
前記基台上面パーツは、前記仕切部材を折り畳み可能に接合して備える、荷役コンテナ。
【請求項１０】
請求項１ないし請求項９いずれか記載の荷役コンテナであって、
前記基台上面パーツの前記仕切部材は、枠状材または多孔板とされている、荷役コンテナ。
【請求項１１】
請求項１ないし請求項１０いずれか記載の荷役コンテナであって、
前記コンテナ基台は、平面視において左右両側からのリフト爪の入り込みが可能とされている、荷役コンテナ。
【請求項１２】
荷役対象品が載置されるコンテナ基台の上面に複数個載置されるコンテナパーツであって、
前記コンテナ基台上部の載置空間を縦方向に区画する複数の仕切部材を有し、該仕切部材を縦に延びた端片側で接合して備え、前記コンテナ基台の上面に載置された状態において、少なくとも一つの前記仕切部材を、他の前記コンテナパーツの前記仕切部材に隣接対面させる
ことを特徴とするコンテナパーツ。
【請求項１３】
請求項１２記載のコンテナパーツであって、
三つの前記仕切部材を備え、前記コンテナ基台の上方からの平面視において、前記仕切部材をコの字状に接合して三方に有する、コンテナパーツ。
【請求項１４】
請求項１３記載のコンテナパーツであって、
他のコンテナパーツの仕切部材に隣接対面する前記仕切部材が前記コンテナ基台の一方端から他方端に亘る態様と、
前記隣接対面する前記仕切部材の幅寸法が前記コンテナ基台の幅寸法より小さくされている態様とを採るものの少なくとも一方とされている、コンテナパーツ。
【請求項１５】
請求項１４記載のコンテナパーツであって、
前記隣接対面する前記仕切部材の幅寸法が前記コンテナ基台の幅寸法より小さくされている前記コンテナパーツは、前記仕切部材幅寸法が前記コンテナ基台幅の略等分割寸法とされている、コンテナパーツ。
【請求項１６】
請求項１２ないし請求項１５いずれか記載のコンテナパーツであって、
前記仕切部材を折り畳み可能に接合して備える、コンテナパーツ。
【請求項１７】
請求項１２ないし請求項１６いずれか記載のコンテナパーツであって、
前記仕切部材は、枠状材または多孔板とされている、コンテナパーツ。
【発明の詳細な説明】
【０００１】
【発明の属する技術分野】
本発明は、荷役コンテナに関する。
【０００２】
【従来の技術】
荷役コンテナは、種々の物品の荷役に用いられ、その荷役対象に応じて種々のものが提案されている。例えば、特開平１０−２９６３７号公報では、複数の遊技台の収納・搬送に用いるものとして、カゴ状のコンテナが提案されている。
【０００３】
【発明が解決しようとする課題】
この種のカゴ状のコンテナは、多数台の遊技台収納・搬送には適する。しかしながら、例えば故障遊技台の補充や島の一部台数の補充時のように少数台の荷役では、コンテナに物品収納がないいわゆるデッドスペースができてしまっていた。
【０００４】
こうしたデットスペースには、遊技台付属の基板等の電装品を箱詰めした箱を載置することも可能である。しかし、遊技台とその付属品といった混在では、付属品の載置状態は平積みに等しく、荷崩れ等の懸念があった。
【０００５】
また、次のような問題も指摘されるに到った。
一般に、遊技機ホールでは、島を対向させている。こうした島への遊技台設置を図る場合、遊技台を収納したコンテナを島間に運び込み、コンテナの左右から遊技台を取り出す。この場合、カゴ状コンテナでは、側面と上面が解放しているので、一方の島の側からは、遊技台荷役を側面方向から行うことができ、荷役作業が簡便である。しかし、他方の島の側からは、遊技台をほぼ真上に持ち上げて取り出す荷役作業をせざるを得ないので、取り出しにくく、荷役作業負荷も大きかった。
【０００６】
なお、これら課題は遊技台荷役に特有のものではなく、箱詰めしないような物品の荷役に共通するものである。
【０００７】
本発明は、上記問題点を解決するためになされ、物品の荷役に際してのデットスペースを削減したり、複数物品の荷役効率の向上、荷役作業の負荷低減を図るとことを目的とする。
【０００８】
【課題を解決するための手段およびその作用・効果】
かかる課題の少なくとも一部を解決するため、本発明の荷役コンテナは、コンテナ基台の上面に複数の基台上面パーツを載置させている。この複数の基台上面パーツは、縦に延びた端片側で接合されたそれぞれの仕切部材でコンテナ基台上部の載置空間を縦方向に区画する。こうした載置空間の縦方向区画は、一の基台上面パーツと他の基台上面パーツとが仕切部材同士を互いに隣接対面させたものである。よって、コンテナ基台上の載置空間は、隣接対面した仕切部材を境に、底面の平面視で左右に区画されるので、この左右に区画された載置空間に対しては、荷役作業をそれぞれの方向（左方・右方）から行うことができる。つまり、荷役作業の方向性の自由度が高まり、荷役作業負荷を低減できる。
【０００９】
しかも、それぞれの基台上面パーツは、隣接対面した仕切部材に縦に延びた端片側で接合した他の仕切部材も有するので、この他の仕切部材は、上記分けられ載置空間を隣接対面した仕切部材と一緒に取り囲む側方壁として機能する。よって、上記区画載置空間は、何の囲いもない平積み状のものではないので、荷崩れ防止上、有益である。この場合、基台上面パーツを平面視でコの字状となった三方に仕切部材を有するものとすれば、それぞれの区画載置空間は、３方の側壁（仕切部材）で取り囲まれた状態となるので、荷崩れ防止を有効に図ることができる。
【００１０】
このようにして載置空間を区画する基台上面パーツは、この他、種々のものとすることができる。
例えば、上記したコの字状に仕切部材を有する基台上面パーツを、他の基台上面パーツの仕切部材に隣接対面する前記仕切部材が前記コンテナ基台の一方端から他方端に亘る態様（便宜上、この態様を基台同寸態様という）の基台上面パーツと、前記隣接対面する前記仕切部材の幅寸法が前記コンテナ基台の幅寸法より小さくされている態様（便宜上、この態様を基台狭小態様という）の基台上面パーツの少なくとも一方とすることができる。
【００１１】
こうすれば、基台同寸態様の基台上面パーツを二つコンテナ基台に載置して、平面視での左右両側に載置空間を区画できる。よって、それぞれの区画載置空間に対して荷役作業を行うことができ、コンテナ基台に対しては、左右両側から荷役作業が可能となり、作業負荷を低減できる。また、基台同寸態様の基台上面パーツと複数の基台狭小態様の基台上面パーツを組み合わせることもできる。こうすれば、基台同寸態様の基台上面パーツの区画する載置空間と、基台狭小態様の基台上面パーツの区画する載置空間に広狭を持たせることができる。よって、広い載置空間には、それに適した大きさの物品を収納し、狭い載置空間には、それに適した小さな物品を収納できるので、物品の荷役に際してのデットスペース削減や、複数物品の荷役効率の向上に有益である。複数の基台狭小態様の基台上面パーツだけをコンテナ基台に載置することもでき、こうすれば、載置空間の細分化により、デットスペースをより削減できる。
【００１２】
この場合、基台狭小態様の基台上面パーツを、仕切部材の幅寸法が前記コンテナ基台幅の略等分割寸法とされたものとすることができる。こうすれば、細分化した載置空間を統一できるので、この細分化した各載置空間をある荷役対象品に共通して使用でき、好ましい。
【００１３】
また、コンテナ基台を、コンテナ基台上面に載置された基台上面パーツの仕切部材の底辺端が入り込む凹部を有するものとすることができる。こうすれば、載置した基台上面パーツを安定させることができるので、不用意に基台上面パーツを倒してしまうような事態を回避できる。よって、こうした事態を招かないようにする注意喚起の必要性が低くなるので、荷役作業が簡便となる。
【００１４】
このコンテナ基台を凹部が基台上下面にあるものとすれば、コンテナ基台が表裏いずれの状態であっても、基台上面パーツを載置できる。よって、作業効率が向上する。また、基台上面パーツ載置済みのコンテナ基台を積み重ねても、基台下面の凹部に基台上面パーツの仕切部材上端片を入れ込むことができる。よって、コンテナ基台積み重ね時の安定性が増し、好ましい。
【００１５】
また、コンテナ基台の上面に載置された複数の基台上面パーツ同士を係合部材で係合するようにし、その係合を、隣接対面した仕切部材の上端片部分で行うようにすることもできる。こうすれば、コンテナ基台上に載置した基台上面パーツ同士を安定させることができるので、既述したように荷役作業が簡便となる。
【００１６】
この際、コンテナ基台の下面に、複数の基台上面パーツ同士を係合した係合部材が入り込む凹所を設けるようにすることができる。こうすれば、基台上面パーツ載置済みのコンテナ基台を積み重ねても、係合部材は基台下面の凹部に入れ込むので、コンテナ基台積み重ね時の安定性が増し、好ましい。
【００１７】
また、基台上面パーツを仕切部材が折り畳み可能に接合されているものとすれば、コンテナ基台、基台上面パーツを分解した際に、この基台上面パーツを折り畳んでおくことができる。よって、空の状態で荷役コンテナを搬送するような場合や保管等する場合には、省スペース化を図ることができる。
【００１８】
更に、基台上面パーツの仕切部材を枠状材または多孔板とすれば、当該パーツは軽量となるので、当該パーツの基台載置の取扱が容易となり、当該載置作業の作業負荷も軽くなり好ましい。
【００１９】
また、コンテナ基台をその平面視において左右両側からのリフト爪の入り込みが可能とすれば、フォークリフト等を使ったトラック等への荷積み・荷下ろし作業に際してのリフトすくい作業の方向性の自由度が増す。よって、リフトによる荷積み・荷下ろし作業が簡便となる。
【００２０】
更に、本発明は、上記した基台上面パーツを、荷役対象品が載置されるコンテナ基台の上面に複数個載置されるコンテナパーツとして適用することもできる。
【００２１】
【発明の実施の形態】
次に、本発明に係る荷役コンテナの実施の形態を実施例に基づき説明する。図１は実施例の荷役コンテナ１０の概略斜視図、図２はこの荷役コンテナ１０の中央付近を縦断面視して示す説明図、図３は荷役コンテナ１０が有するコンテナ基台２０の概略斜視図、図４はこのコンテナ基台２０の底面図、図５は図４の５−５線断面図、図６は図４の６−６−線断面図、図７は荷役コンテナ１０に用いる固定具４０の底面方向からの概略斜視図である。
【００２２】
これら図面に示すように、荷役コンテナ１０は、コンテナ基台２０に四つの仕切パーツ３０を載置し、この仕切パーツ３０をその上端部で固定具４０により固定する。コンテナ基台２０は、その上面を荷役対象品の載置面とする。仕切パーツ３０は、３枚の仕切板３１〜３３を縦に延びた端片で接合して備え、上方からの平面視において、仕切板３１〜３３でコの字状の区画壁を形成する。仕切板３１〜３３は、それぞれが多孔板とされている。
【００２３】
この仕切パーツ３０は、コンテナ基台２０の上面に載置された状態において、他の仕切パーツ３０の仕切板３１〜３３に隣接対面させている。本実施例では、二つの仕切パーツ３０を同じ向きに並べ、他の二つをいわゆる背中合わせとなるように並べている。よって、三方の仕切板３１〜３３の開口領域は、コンテナ基台２０の左右方向になる。この場合、仕切板３１〜３３は、その幅寸法がコンテナ基台２０の幅寸法より小さくされ、後述の基台周縁溝２１間の寸法の約半分とされている。
【００２４】
コンテナ基台２０は、図３に示すように、その上面に基台周縁溝２１と基台中央溝２２とを有する。基台周縁溝２１は、基台周縁に沿って四角状とされ、仕切パーツ３０の仕切板３１〜３３が入り込むことができる溝幅とされている。基台中央溝２２は、十字に形成され、その溝幅は、隣接対面した二枚の仕切板が入り込むことができるものとされている。この場合、仕切板嵌め込みの作業性・仕切板の安定性を考慮して、基台周縁溝２１の溝幅は仕切板厚みより数ミリ程度広くされ、基台中央溝２２にあっては仕切板厚みの２倍の幅より数ミリ程度広くされている。
【００２５】
コンテナ基台２０は、図３、図４に示すように、その底面にリフト爪の入り込みのためのリフト爪溝２３を有する。このリフト爪溝２３は、平行な２本で一対となり、フォークリフトによる荷積み・荷下ろし時に使用される。本実施例では、このリフト爪溝２３がクロスに用意されている。従って、フォークリフト等でのコンテナすくい作業の方向性の自由度が増し、リフトによる荷積み・荷下ろし作業が簡便となる。
【００２６】
また、コンテナ基台２０は、底面に、上面と同様にして基台周縁溝２１と基台中央溝２２とを有する他、底面中央に、固定具４０が入り込む凹所２４を有する。従って、図２に示すように固定具４０で仕切パーツ３０を固定済みの荷役コンテナ１０を重ねた場合、それぞれの仕切パーツ３０における仕切板３１〜３３は、その上下端で基台周縁溝２１と基台中央溝２２に入り込み、固定具４０は、凹所２４に入り込む。この結果、コンテナ積み重ねに際しての仕切パーツ３０の安定性が増し、好ましい。この場合、リフト爪との干渉を避けるため、図１に鎖線で示すように、仕切板３１〜３３の上端に切欠３４を形成することが好ましい。この切欠３４の形成位置は、コンテナ基台２０のリフト爪溝２３の上方である。なお、コンテナ積み重ねを行わないとすれば、基台底面には、基台周縁溝２１や基台中央溝２２および凹所２４は不要である。
【００２７】
固定具４０は、図７に示すように、その底面に固定溝４１をクロスさせて有する。この固定溝４１は、コンテナ基台２０における基台中央溝２２と同様、仕切板厚みの２倍の幅より数ミリ程度広くされている。よって、この固定具４０を、図１に示すように、四つの仕切パーツ３０のコーナが集まった中央箇所に配置し、重なった仕切板をその状態で固定溝４１に入れ込むことで、仕切パーツ３０をその上端において固定できる。こうすれば、コンテナ基台２０に載置した仕切パーツ３０同士を安定させることができる。この固定具４０による仕切パーツ固定は、物品の荷役前後の適宜な時期に行えばよい。
【００２８】
固定具４０は次のようなものとすることもできる。図８は他の固定具４２を底面方向から見た斜視図、図９はまた別の固定具４３の斜視図である。
【００２９】
図示するように、固定具４２は、上記の固定溝４１を一つ備え、隣接対面した二枚の仕切板同士を固定する。固定具４３は、クロスさせた固定溝４１を上下面に有するので、どちらの面であっても仕切板固定に使用でき、簡便である。
【００３０】
以上説明した荷役コンテナ１０は、コンテナ基台２０に載置した四つの仕切パーツ３０でコンテナ基台２０上部の載置空間を縦方向に区画し、各区画空間を、三方の仕切板３１〜３３で取り囲む。よって、この各区画空間に対しては、荷役作業を仕切板の開口領域の方向から行うことができる。図１に示す本実施例では、荷役作業をコンテナ基台２０に対して左右両側から行うことができる。この結果、本実施例の荷役コンテナ１０によれば、荷役作業の方向性の自由度が高まり、荷役作業負荷を低減できる。
【００３１】
しかも、それぞれの仕切パーツ３０で区画した区画空間を、その三方で取り囲むので荷崩れ防止上、有益である。
【００３２】
また、基台周縁溝２１を基台周縁に沿ったもの年対向する溝間の間隔をコンテナ基台２０の幅とほぼ同じにし、仕切パーツ３０を、仕切板３１〜３３の幅寸法が溝間隔のほぼ半分とした。そして、この仕切パーツ３０を４個用いることで区画空間を統一し、この空間は所定の荷役対象品に共通して使用できることから、好ましい。勿論、異なる荷役対象品を載置してもよい。
【００３３】
また、仕切パーツ３０の上下端を基台周縁溝２１や基台中央溝２２および固定溝４１に入れ込むことで、仕切パーツ３０をその上下端で固定した。よって、コンテナ基台２０上面において仕切パーツ３０を安定させることができるので、不用意に仕切パーツ３０を倒してしまうような事態を回避できる。よって、こうした事態を招かないようにする注意喚起の必要性が低くなるので、荷役作業が簡便となる。
【００３４】
本実施例では、コンテナ基台２０の上下面に基台周縁溝２１と基台中央溝２２を設けた。よって、コンテナ基台２０が表裏いずれの状態であっても、仕切パーツ３０を載置して荷役作業を行うことができる。よって、作業効率が向上する。
【００３５】
更に、仕切パーツ３０の仕切板３１〜３３を多孔板としたので、パーツが軽量となるので仕切パーツ３０載置の際の取扱が容易となり、当該載置作業の作業負荷も軽くなり好ましい。
【００３６】
ここで、上記のように四つの仕切パーツ３０を用いた荷役コンテナ１０の他の様態について説明する。
【００３７】
図１０は左方に二つの仕切パーツ３０をその開口領域が左方となるように載置した荷役コンテナ１０の使用態様を説明する説明図である。図１１は図１０の右方の二つの仕切パーツ３０を上下逆とした使用態様を説明する説明図である。図１２は右方の二つの仕切パーツ３０を背中合わせとした使用態様を説明する説明図である。図１３はそれぞれの仕切パーツ３０をその開口領域が異なる方向とした使用態様を説明する説明図である。これら態様では、図中に点線矢印で示す方向から荷役作業を行うことができるので、荷役作業の方向性の自由度がより高まり、荷役作業負荷を低減できる。また、各方向からの荷役作業ができることから、作業の汎用性も高まる。
【００３８】
次に、他の実施例について説明する。図１４は他の実施例における荷役コンテナ１０Ａの概略斜視図、図１５はこの荷役コンテナ１０Ａに適用が可能な固定具４４の底面方向からの概略斜視図である。
【００３９】
図示するように、この荷役コンテナ１０Ａは、コンテナ基台２０に二つの仕切パーツ３５を載置して備える。この仕切パーツ３５にあっても、多孔板の仕切板３６〜３８を縦に延びた端片で接合して備え、これら仕切板でコの字状の区画壁を形成する。仕切パーツ３５は、コンテナ基台２０の上面に載置された状態において、他の仕切パーツ３５の仕切板３７に隣接対面させて、背中合わせに並ぶ。この場合、両端の仕切板３６、３８は、その幅寸法がコンテナ基台２０の基台周縁溝２１間の寸法のほぼ半分の短片状とされ、間の仕切板３７は基台周縁溝２１間の寸法とほぼ同寸とされている。
【００４０】
こうした仕切パーツ３５をその上端部で固定するには、既述した固定具４０や固定具４２（図８参照）を用いることができるほか、図１５に示す固定具４４を用いることができる。この固定具４４は、背中合わせとなった仕切パーツ３５をコーナ部にて固定するものであり、隣接対面箇所の固定のための固定溝４１と、短片状の仕切板３６、３６のみが入り込む固定溝４５とをＴ字状に接合して備える。
【００４１】
この実施例の荷役コンテナ１０Ａによっても、荷役作業をコンテナ基台２０に対して左右両側から行うことができるので、既述した実施例と同様、荷役作業の方向性の自由度向上、荷役作業の負荷低減、荷崩れ防止等の効果を奏することができる。
【００４２】
上記した仕切パーツ３５は、仕切パーツ３０と組み合わせて次のような様態の荷役コンテナとすることができる。図１６は仕切パーツ３５に二つの仕切パーツ３０を背中合わせで載置しその開口領域が左右方向となるようにした使用態様を説明する説明図である。図１７は図１６の右方の二つの仕切パーツ３０を一方の開口領域向きを変えた使用態様を説明する説明図である。図１８は右方の二つの仕切パーツ３０の並びを図１７と逆にした使用態様を説明する説明図である。図１９は仕切パーツ３０についても背中合わせに載置した使用態様を説明する説明図である。これら態様であっても、図中に点線矢印で示す方向から荷役作業を行うことができるので、荷役作業の方向性の自由度がより高まり、荷役作業負荷を低減できる。また、各方向からの荷役作業ができることから、作業の汎用性も高まる。
【００４３】
また別の実施例とその使用態様について説明する。図２０は別の実施例の仕切パーツ３４を用いた荷役コンテナ１０Ｂを概略的に示す説明図である。図２１は仕切パーツ３４を仕切パーツ３５と組み合わせた使用態様を説明する説明図である。
【００４４】
図２０に示すように、この実施例の荷役コンテナ１０Ｂは、コンテナ基台２０に、平面視でＬ字状に仕切板を縦に延びた端片で接合した仕切パーツ３４を載置して備える。そして、それぞれの仕切パーツ３４を仕切板が向き合うよう隣接対面させている。仕切パーツ３４の各仕切板は、その幅は仕切パーツ３０の仕切板と同じとされている。
【００４５】
この荷役コンテナ１０Ｂであっても、コンテナ基台２０上面の載置空間を区画してその作業方向を左右両側および上下両側とするので、既述した実施例と同様、荷役作業の方向性の自由度向上、荷役作業の負荷低減等の効果を奏することができる。なお、仕切パーツ３４を仕切パーツ３０と組み合わせて使用することもできる。
【００４６】
また、図２１に示すように、仕切パーツ３５と組み合わせた使用態様であっても、図中の点線矢印方向からの荷役作業を可能とするので、荷役作業の方向性の自由度向上、荷役作業の負荷低減、荷役作業の汎用性向上等の効果を奏することができる。
【００４７】
図２２はまた別の実施例の荷役コンテナ１０Ｃを概略的に示す説明図である。図示するように、この荷役コンテナ１０Ｃは、二つの仕切パーツ３０と、三つの仕切パーツ３９とを載置して備える。仕切パーツ３９は、仕切パーツ３０と同様、三方の区画壁を仕切板で形成するが、真ん中の仕切板は、その幅寸法がコンテナ基台２０の基台周縁溝２１間の寸法の約１／３の短片状とされている。なお、この荷役コンテナ１０Ｃでは、コンテナ基台２０は、基台中央溝２２と同一幅の溝を基台周縁溝２１間に２本、等間隔に有する。
【００４８】
この荷役コンテナ１０Ｃであっても、コンテナ基台２０上面の載置空間を区画して荷役作業の方向性の自由度を高めるので、上記したように、荷役作業の負荷低減等の効果を奏することができる。また、幅狭小の仕切パーツ３９を用いたので、区画空間が細分化され、小物部品の載置に適する。なお、仕切パーツ３０の載置向きは図において作用が開口領域となるようにしたり、図１９や図２０に示すようにすることもできる。また、仕切パーツ３９を仕切パーツ３５と組み合わせて使用することもできる。
【００４９】
次に、変形例について説明する。図２３は第１変形例の荷役コンテナ１１の概略斜視図である。
【００５０】
図示するように、荷役コンテナ１１は、向かい合う仕切板を枠状とした仕切パーツ３０Ａをコンテナ基台２０に載置して備える。この荷役コンテナ１１によれば、仕切パーツをより軽量とできるので、その取扱の簡便化、作業負荷の低減を進めることができる。また、物品荷姿も容易に確認でき、好ましい。
【００５１】
図２４は第２変形例の荷役コンテナ１２をパチンコ台の荷役に使用した様子を示す説明図、図２５は図２４における２４−２４線断面を示す説明図である。
この変形例の荷役コンテナ１２は、上記実施例と同様に枠状とした仕切板を有する二つの仕切パーツ３５Ａを、背中合わせにしてコンテナ基台２０に載置して備える。コンテナ基台２０は、複数台のパチンコ台を二列に立設収納できるよう、その上面縦横寸法が特化されている。また、仕切パーツ３５Ａについては、その高さ寸法がパチンコ台高さに特化されている。そして、運搬時等のパチンコ台を安定させるため、蓋体５０を用いる。この蓋体５０は、図２５に示すように、発泡スチロール等の樹脂製とされ、下面に、パチンコ台上端が入り込む凹所５１を多列に有する。
【００５２】
この変形例の荷役コンテナ１２は、多数台のパチンコ台をその荷役作業方向が左右となるように載置・収納する。よって、この状態で荷役コンテナ１２をホールの島間におけば、対向する各島の方向からパチンコ台の取り出しが可能となる。このため、パチンコ台を取り出す荷役作業は、いずれの島方向からも容易となるので、荷役作業の負荷を軽減できる。
【００５３】
図２６は荷役コンテナ１２を更に変形した形態でのパチンコ台荷役の様子を示す説明図である。
この変形例の荷役コンテナ１２は、故障台の補充や試験用のパチンコ台の搬送荷役に特化したものである。つまり、この荷役コンテナ１２では、枠状の仕切板を有する仕切パーツ３５Ａは、その高さ寸法が横向き載置したパチンコ台高さ（幅）とパチンコ台に組み込む遊技盤外形寸法に特化されている。また、コンテナ基台２０は、数台のパチンコ台を二列に横向き載置でき、これに遊技盤を混在収納できるよう、その上面縦横寸法が特化されている。なお、この場合であっても、運搬時等のパチンコ台や遊技盤を安定させるため、蓋体を用いると好ましい。
【００５４】
この変形例では、故障台補充といった数台程度のパチンコ台をその荷役作業方向が左右となるように載置・収納するので、こうした補充等の状況でおいても、荷役作業の負荷を軽減できる。また、遊技盤との混在により、過不足なく部品搬送を行うことができる。
【００５５】
図２７は変形例のコンテナ基台２０Ａを表す概略斜視図である。図示するように、変形例のコンテナ基台２０Ａは、リフト爪溝２３に代えて、リフト爪の差し込みが可能なリフト爪挿入孔２３Ａをクロスして備える。そして、このコンテナ基台２０Ａは、既述した実施例のコンテナ基台２０がその下面に有する凹所２４を、コンテナ基台上下面に有すると共に、基台周縁溝２１と基台中央溝２２にあってもこれら溝を上下面に有する。よって、この変形例のコンテナ基台２０Ａによれば、表裏いずれの状態であっても、このコンテナ基台２０Ａに仕切パーツ３０を載置しできるので、その作業効率が向上する。
【００５６】
図２８は変形例の仕切パーツ３０Ｂを概略的に示す説明図である。図示するように、仕切パーツ３０Ｂは、仕切パーツ３０と同様に三つの仕切板３１Ｂ〜３３Ｂで三方の区画壁を形成するが、仕切板３１Ｂと仕切板３３Ｂについては、途中に設けたピン３１Ｃにて折り畳み可能とされている。また、この両仕切板の折り畳み位置は、仕切板３２Ｂに重なるよう折り畳まれた仕切板３３Ｂに、仕切板３１Ｂが重なるよう、変位されている。よって、この変形例によれば、コンテナ基台と仕切パーツ３０Ｂを分解した際に、この仕切パーツ３０Ｂを折り畳んでおくことができる。このため、空の状態で荷役コンテナを搬送するような場合や保管等する場合に、省スペース化を図ることができる。
【００５７】
図２９は荷役コンテナ１１の変形例を底面側から示す概略斜視図、図３０はこの変形例の荷役コンテナ１１の要部を一部断面視して示す説明図である。
図示するように、この変形例の荷役コンテナ１１は、仕切パーツ３０Ａの区画領域を多段に使用する点に特徴がある。つまり、荷役コンテナ１１は、仕切パーツ３０Ａの上端枠部分３０ａと中間枠部分３０ｂに、棚板５５を渡しかけて備える。こうすれば、小物物品の収納・混在に便利である。
【００５８】
以上本発明の実施例について説明したが、本発明は上記の実施例や実施形態になんら限定されるものではなく、本発明の要旨を逸脱しない範囲において種々なる態様で実施し得ることは勿論である。
【００５９】
例えば、荷役コンテナの荷役対象品はパチンコ台に限られるものではなく、荷役コンテナを種々の物品荷役に使用できる。また、仕切板にあっては、多孔板・枠状以外のもの、例えば、孔のない単板、或いは網状とすることができる。
【００６０】
また、コンテナ基台２０に基台周縁溝２１や基台中央溝２２を設けたが、仕切パーツ３０の各仕切板底片に溝を設け、コンテナ基台２０には、この仕切板底片溝に入り込む凸部を設けるようにすることもできる。更には、仕切パーツ３０の各仕切板底片からピンや舌状片を突出させ、これらピン・舌状片が入り込む凹所をコンテナ基台２０に設けるようにすることもできる。この逆に、コンテナ基台２０上面にピンや舌状片を突出させ、これらピン・舌状片が入り込む凹所を仕切板底片に設けるようにすることもできる。
【００６１】
更に、それぞれの仕切パーツでは、各仕切板を縦に延びた端片で接合したものを例示したが、仕切板接合箇所は、こうした端片の側であればよく、当該端片の近傍であってもよい。つまり、端片近傍でＴ字状に接合したり、端片が僅かに突出するよう端片近傍で十字に接合していてもよい。
【図面の簡単な説明】
【図１】実施例の荷役コンテナ１０の概略斜視図である。
【図２】この荷役コンテナ１０の中央付近を縦断面視して示す説明図である。
【図３】荷役コンテナ１０が有するコンテナ基台２０の概略斜視図である。
【図４】このコンテナ基台２０の底面図である。
【図５】図４の５−５線断面図である。
【図６】図４の６−６−線断面図である。
【図７】荷役コンテナ１０に用いる固定具４０の底面方向からの概略斜視図である。
【図８】他の固定具４２を底面方向から見た概略斜視図である。
【図９】また別の固定具４３の斜視図である。
【図１０】左方に二つの仕切パーツ３０をその開口領域が左方となるように載置した荷役コンテナ１０の使用態様を説明する説明図である。
【図１１】図１０の右方の二つの仕切パーツ３０を上下逆とした使用態様を説明する説明図である。
【図１２】右方の二つの仕切パーツ３０を背中合わせとした使用態様を説明する説明図である。
【図１３】それぞれの仕切パーツ３０をその開口領域が異なる方向とした使用態様を説明する説明図である。
【図１４】他の実施例における荷役コンテナ１０Ａの概略斜視図である。
【図１５】この荷役コンテナ１０Ａに適用が可能な固定具４４の底面方向からの概略斜視図である。
【図１６】仕切パーツ３５に二つの仕切パーツ３０を背中合わせで載置しその開口領域が左右方向となるようにした使用態様を説明する説明図である。
【図１７】図１６の右方の二つの仕切パーツ３０を一方の開口領域向きを変えた使用態様を説明する説明図である。
【図１８】右方の二つの仕切パーツ３０の並びを図１７と逆にした使用態様を説明する説明図である。
【図１９】仕切パーツ３０についても背中合わせに載置した使用態様を説明する説明図である。
【図２０】別の実施例の仕切パーツ３４を用いた荷役コンテナ１０Ｂを概略的に示す説明図である。
【図２１】仕切パーツ３４を仕切パーツ３５と組み合わせた使用態様を説明する説明図である。
【図２２】また別の実施例の荷役コンテナ１０Ｃを概略的に示す説明図である。
【図２３】第１変形例の荷役コンテナ１１の概略斜視図である。
【図２４】第２変形例の荷役コンテナ１２をパチンコ台の荷役に使用した様子を示す説明図である。
【図２５】図２４における２５−２５線断面を示す説明図である。
【図２６】荷役コンテナ１２を更に変形した形態でのパチンコ台荷役の様子を示す説明図である。
【図２７】変形例のコンテナ基台２０Ａを表す概略斜視図である。
【図２８】変形例の仕切パーツ３０Ｂを概略的に示す説明図である。
【図２９】荷役コンテナ１１の変形例を底面側から示す概略斜視図である。
【図３０】この変形例の荷役コンテナ１１の要部を一部断面視して示す説明図である。
【符号の説明】
１０、１０Ａ、１０Ｂ、１０Ｃ…荷役コンテナ
１１、１２…荷役コンテナ
２０、２０Ａ…コンテナ基台
２１…基台周縁溝
２２…基台中央溝
２３…リフト爪溝
２３Ａ…リフト爪挿入孔
２４…凹所
３０、３０Ａ、３０Ｂ…仕切パーツ
３０ａ…上端枠部分
３０ｂ…中間枠部分
３０ｋ…切欠
３１〜３３、３１Ｂ〜３３Ｂ…仕切板
３１Ｃ…ピン
３４…仕切パーツ
３５…仕切パーツ
３５Ａ…仕切パーツ
３６〜３８…仕切板
３９…仕切パーツ
４０…固定具
４１…固定溝
４２〜４４…固定具
４５…固定溝
５０…蓋体
５１…凹所
５５…棚板
【図１】
2004010053.tif 000003
【図２】
2004010053.tif 000004
【図３】
2004010053.tif 000005
【図４】
2004010053.tif 000006
【図５】
2004010053.tif 000007
【図６】
2004010053.tif 000008
【図７】
2004010053.tif 000009
【図８】
2004010053.tif 000010
【図９】
2004010053.tif 000011
【図１０】
2004010053.tif 000012
【図１１】
2004010053.tif 000013
【図１２】
2004010053.tif 000014
【図１３】
2004010053.tif 000015
【図１４】
2004010053.tif 000016
【図１５】
2004010053.tif 000017
【図１６】
2004010053.tif 000018
【図１７】
2004010053.tif 000019
【図１８】
2004010053.tif 000020
【図１９】
2004010053.tif 000021
【図２０】
2004010053.tif 000022
【図２１】
2004010053.tif 000023
【図２２】
2004010053.tif 000024
【図２３】
2004010053.tif 000025
【図２４】
2004010053.tif 000026
【図２５】
2004010053.tif 000027
【図２６】
2004010053.tif 000028
【図２７】
2004010053.tif 000029
【図２８】
2004010053.tif 000030
【図２９】
2004010053.tif 000031
【図３０】
2004010053.tif 000032